(57)【要約】  壁戸棚（Ｍ）の壁組立用の調整のための容易なアクセスを有する外れ防止構造を備えた隠蔽された吊り下げ用ブラケット群（１０）であって、  プレート要素であって、前記壁戸棚（Ｍ）の肩部（Ｓ）に形成された孔と結合可能であって、前記プレート要素（１１）の少なくとも一つの側辺から延びる複数の固定ピン（１２、１２’、１２’’）と、前記プレート要素（１１）とその前面で深さ（Ｋ）および高さ（Ｈ）方向に調整可能に結合し、上部フック状部分（１５）を有し、壁に固定された支持要素（５０）を備えた前記吊り下げ用ブラケットのフック要素（１４）と、を有するプレート要素（１１）と、  前記フック要素（１４）を前記プレート要素（１１）に関して水平および垂直に移動させる手段（１６、１７）と、  同じく備えられた前記吊り下げ用ブラケットの外れ防止手段（１８）と、を有し、  前記プレート要素（１１）に要素（２４、５７）が備えられ、前記要素（２４、５７）は、深さ調節のグラブねじ（２６）用のねじ孔（２５、５８）と、スクリュードライバ用のガイド（４７）と、同じく備えられた前記スクリュードライバ（４２）の先端部用の止め具（４８）とを有する。
2019531810.tif 000002
【特許請求の範囲】
【請求項１】
壁戸棚（Ｍ）の壁組立用の調整のための容易なアクセスを有する外れ防止構造を備えた隠蔽された吊り下げ用ブラケット群（１０）であって、
プレート要素（１１）であって、
前記壁戸棚（Ｍ）の肩部（Ｓ）に形成された孔と結合可能であり、前記プレート要素（１１）の少なくとも一つの側辺から延びる複数の固定ピン（１２、１２’、１２’’）と、
前記プレート要素（１１）とその前面で深さ（Ｋ）および高さ（Ｈ）方向に調整可能に結合し、上部フック状部分（１５）を有し、壁に固定された支持要素（５０）を備えた前記吊り下げ用ブラケットのフック要素（１４）と、を有するプレート要素（１１）と、
前記フック要素（１４）を前記プレート要素（１１）に関して水平および垂直に移動させる手段（１６、１７）と、
同じく備えられた前記吊り下げ用ブラケットの外れ防止手段（１８）と、を有し、
前記プレート要素（１１）に要素（２４、５７、５７’）が備えられ、前記要素（２４、５７、５７’）は、深さ調節のグラブねじ（２６）用のねじ孔（２５、５８、５８’）と、スクリュードライバ用のガイド（４７）と、同じく備えられた前記スクリュードライバ（４２）の先端部用の止め具（４８）とを有する、
壁戸棚（Ｍ）の壁組立用の調整のための容易なアクセスを有する外れ防止構造を備えた隠蔽された吊り下げ用ブラケット群（１０）において、
前記要素は、前記プレート要素（１１）に窓（２３）を半打ち抜き工程によって製造する付属物（２４）であって、前記付属物（２４）はいったん半打ち抜きされると、前記プレート要素の前部で前記移動手段（１６、１７）の少なくとも一部の収容ケーシングを形成するように箱折りされることを特徴とする、吊り下げ用ブラケット群。
【請求項２】
請求項１に記載の吊り下げ用ブラケット群（１０）であって、
前記ケーシングは、材料を追加することなく、単に前記付属物（２４）を適切に折り曲げることによって製造されることを特徴とする、吊り下げ用ブラケット群（１０）。
【請求項３】
請求項１または２に記載の吊り下げ用ブラケット群（１０）であって、
前記ケーシングは、材料を追加することなく製造され、単に前記付属物（２４）をＣ字形に折り曲げて前記プレート要素（１１）上で閉じることによって製造されていることを特徴とする、吊り下げ用ブラケット群（１０）。
【請求項４】
請求項１から３のいずれか一項に記載の吊り下げ用ブラケット群（１０）であって、
前記付属物（２４）の下の前記プレート要素（１１）の表面に、前記移動手段（１６、１７）にアクセスするための一対の孔（４３、４４）が備えられていることを特徴とする、吊り下げ用ブラケット群（１０）。
【請求項５】
請求項１から４のいずれか一項に記載の吊り下げ用ブラケット群（１０）であって、
前記付属物（２４）の下の前記プレート要素（１１）の表面に、半打ち抜きにし前記支持用プレート要素（１１）に対して角折りにして形成した高さの調整ねじ（３６）の二つの付属物（３２，３３）をさらに有することを特徴とする、吊り下げ用ブラケット群（１０）。
【請求項６】
請求項５に記載の吊り下げ用ブラケット群（１０）であって、
前記追加の第１の付属物（３２）は、前記調整ねじ（３６）を受けるため丸められかつ外側に開いた、凹部（３４）を有し、前記追加の第２の付属物（３３）は、前記調整ねじ（３６）の端部を回転自在に受けるための貫通孔（３５）を有することを特徴とする、吊り下げ用ブラケット群（１０）。
【請求項７】
請求項５または６に記載の吊り下げ用ブラケット群（１０）であって、
前記調整ねじ（３６）は、前記追加の第１の付属物（３２）の前記凹部（３４）に係合する外側に突出するフランジ又はカラー（３９）を備えた歯付きクラウン（３７）を有していることを特徴とする、吊り下げ用ブラケット群（１０）。
【請求項８】
請求項５から７のいずれか一項に記載の吊り下げ用ブラケット群（１０）であって、
前記ねじ（３６）の中間部分は、前記フック要素（１４）に対して一体的にかつ連結式につなげて配置されたプレート（３０）のねじ貫通孔（４０）にねじ込まれていることを特徴とする、吊り下げ用ブラケット群（１０）。
【請求項９】
請求項５から８のいずれか一項に記載の吊り下げ用ブラケット群（１０）であって、
前記調整ねじ（２６）は凹状ヘッド（２７）とは反対側の端部に、スクリュードライバー（４２）の先端部用の成形座部（４１）を備えていることを特徴とする、吊り下げ用ブラケット群（１０）。
【請求項１０】
請求項３から９のいずれか一項に記載の吊り下げ用ブラケット群（１０）であって、
前記付属物（２４）の自由端が前記プレート要素（１１）に溶接されていることを特徴とする、吊り下げ用ブラケット群（１０）。
【請求項１１】
請求項３から９のいずれか一項に記載の吊り下げ用ブラケット群（１０）であって、
前記付属物（２４）の自由端が前記プレート要素（１１）にリベット留めされていることを特徴とする、吊り下げ用ブラケット群（１０）。
【請求項１２】
請求項３から９のいずれか一項に記載の吊り下げ用ブラケット群（１０）であって、
前記付属物（２４）の自由端が、スクリュードライバ（４２）の先端部用のガイドを画定する中央端部のＵボルト折り曲げ部（４７）を有することを特徴とする、吊り下げ用ブラケット群（１０）。
【請求項１３】
請求項３から９のいずれか一項に記載の吊り下げ用ブラケット群（１０）であって、
前記付属物（２４）の自由端は、スクリュードライバー（４２）の先端部のガイドと止め具（４８）を確定する中央端部のＵ字型ボルト折り曲げ部（４７）を有することを特徴とする、吊り下げ用ブラケット群（１０）。
【請求項１４】
請求項１から１３のいずれか一項に記載の吊り下げ用ブラケット群（１０）であって、
前記フック要素（１４）は、箱状体の一つに、スクリュードライバ（４２）の先端部を通して前記移動手段（１６，１７）にアクセスするための溝（２８）を備えていることを特徴とする、吊り下げ用ブラケット群（１０）。
【請求項１５】
壁戸棚（Ｍ）の壁組立用の調整のための容易なアクセスを有する外れ防止構造を備えた隠蔽された吊り下げ用ブラケット群（１０）であって、
プレート要素（１１）であって、
前記壁戸棚（Ｍ）の肩部（Ｓ）に形成された孔と結合可能であり、前記プレート要素（１１）の少なくとも一つの側辺から延びる複数の固定ピン（１２、１２’、１２’’）と、前記プレート要素（１１）とその前面で深さ（Ｋ）および高さ（Ｈ）方向に調整可能に結合し、上部フック状部分（１５）を有し、壁に固定された支持要素（５０）を備えた前記吊り下げ用ブラケットのフック要素（１４）と、を有するプレート要素（１１）と、
前記フック要素（１４）を前記プレート要素（１１）に関して水平および垂直に移動させる手段（１６、１７）と、
同じく備えられた前記吊り下げ用ブラケットの外れ防止手段（１８）と、を有し、
前記プレート要素（１１）に要素（２４、５７、５７’）が備えられ、前記要素（２４、５７、５７’）は、深さの調節グラブねじ（２６）用のねじ孔（２５、５８、５８’）と、スクリュードライバ用のガイド（４７）と、同じく備えられた前記スクリュードライバ（４２）の先端部用の止め具（４８）とを有する、
壁戸棚（Ｍ）の壁組立用の調整のための容易なアクセスを有する外れ防止構造を備えた隠蔽された吊り下げ用ブラケット群（１０）において、
前記要素はザマ（ｚａｍａ）からなる要素（５７，５７’）であって、前記深さの調節グラブねじ（２６）用のねじ孔（５８）を有し、スクリュードライバのためのガイド（４７，４７’）と、同スクリュードライバの先端部用の止め具（４８）とを有することを特徴とする、吊り下げ用ブラケット群。
【請求項１６】
請求項１５に記載の吊り下げ用ブラケット群（１０）であって、
前記要素は、前記プレート要素（１１）の孔（６０）に挿入され、後方から前記プレート要素（１１）のシートにいったん挿入されるとリベット留めされるピン（５９）を有するザマ（ｚａｍａ）からなる要素（５７’）であることを特徴とする、吊り下げ用ブラケット群（１０）。
【請求項１７】
請求項１５に記載の吊り下げ用ブラケット群（１０）であって、
前記要素が、深さ調整グラブねじ（２６）用のねじ孔（５８’）と、スクリュードライバ（４２）用のガイド（６７、６７’）と、前記スクリュードライバ（４２）の先端部の止め具（６８）を有するザマ（ｚａｍａ）からなる要素（５７’）であることを特徴とする、吊り下げ用ブラケット群（１０）。
【請求項１８】
請求項１７に記載の吊り下げ用ブラケット群（１０）であって、
前記要素（５７’）は、リベット留めされるフラップ（６９）を有し、前記プレート要素（１１）のシートに前方から挿入されることを特徴とする、吊り下げ用ブラケット群（１０）。
【発明の詳細な説明】
【技術分野】
【０００１】
本発明は、調整のための容易なアクセスを有する外れ防止構造を備えた隠蔽された吊り下げ用ブラケット群に関する。
【背景技術】
【０００２】
技術分野は、壁戸棚に関して後部外側位置に固定するのに適した、隠蔽された吊り下げ用ブラケットに関する。特に、この種の吊り下げ用ブラケットは、一般に、壁戸棚の裏張りに近く、天板下の肩部と結合されているので、一旦壁に拘束されると、吊り下げ用ブラケットはよく隠蔽される。これらの群はまた、壁から外れるような衝撃を受けた場合に壁戸棚が誤って外れるのを防止するための外れ防止構造も備えている。
【０００３】
これらの吊り下げ用ブラケットは、一般に、組み立て段階において壁戸棚の後肩部に形成された孔と結合される様々な側部突起（ピン）を備える単一のプレート要素から成る。これらの吊り下げ用ブラケットはまた、吊り下げ用ブラケットを壁に固定するために相対プレートに接続される可動フック要素を備える。
【０００４】
壁戸棚が取り付けられている壁から、壁戸棚が誤って外れることを防ぐように介在している外れ防止システムもまた提供される。
【０００５】
吊り下げ用ブラケットの一例は、国際特許出願ＷＯ２００４／０３２６８１  Ａ１に記載されている。
【０００６】
吊り下げ用ブラケットにある高さと深さのさまざまな調整へのアクセスは、家具の後部または裏張りに形成された一対の孔によって提供される。
【０００７】
家具の裏張りにおける開孔表面を減らすために、一定の大きさを有する単一の孔が設けられ、そこから吊り下げ用ブラケットの両調整にアクセスすることができる。
【発明の概要】
【発明が解決しようとする課題】
【０００８】
この解決策は、欧州特許出願第１００８３１６号の目的であるが、この解決策では、所定の構造上の複雑さもある。その理由は、いくつかの要素が別々の金型から製造されるため、ベースプレートに結合する必要があり、したがって異なる部品の製造に関連する製造コストの増加、およびそれらを家具に取り付ける前にそれらを互いに一体化させるための組み立てコストの増加を必要とするためである。
【０００９】
ドイツ登録実用新案２０３  １４  ８２１  Ｕ１号およびドイツ登録実用新案２０２０１５  １０３５１９  Ｕ１号は、請求項１の前文に記載された吊り下げ用ブラケット群を示す。
【００１０】
本発明の概括的な目的は、極めて簡単で経済的なそして特に機能的な方法で上記の既知の技術の欠点を解決することである。
【００１１】
本発明のさらなる目的は、可能な限り少ない部品で容易かつ安定した組立、および想定外の応力が生じた場合でも確実な付着を保証する、外れ防止構造を備えた隠蔽された吊り下げ用ブラケット群を提供することである。
【００１２】
本発明の他の目的は、吊り下げ用ブラケットを形成するためにベースプレートに結合される別個の成型品を最小限に抑えた、外れ防止構造を備えた隠蔽された吊り下げ用ブラケット群を提供することである。
【課題を解決するための手段】
【００１３】
上記の目的に鑑みて、本発明によれば、添付の特許請求の範囲に規定された特徴を有する、調整のための容易なアクセスを有する外れ防止構造を備えた隠蔽された吊り下げ用ブラケット群が考案された。
【００１４】
本発明の構造上および機能上の特徴ならびに既知の技術に対するその利点は、本発明に従って製造された壁戸棚を壁に取り付けるための隠蔽された調節可能な吊り下げ用ブラケットを示す添付の図面を参照しながら行う以下の説明からさらに明らかになる。
【図面の簡単な説明】
【００１５】
【図１】本発明により製造された、壁戸棚を壁に取り付けるための外れ防止構造を備えた隠蔽された吊り下げ用ブラケット群の実施形態の縦断面図を示す。
【図２】家具の内側から見た図１の吊り下げ用ブラケットの図である。
【図３】第１の実施形態における図１の吊り下げ用ブラケットのプレートのみの正面図を示す。
【図４】第１の実施形態における図１の吊り下げ用ブラケットのプレートのみの背面図を示す。
【図５】シートが折り曲げられた状態の図３および図４の吊り下げ用ブラケットの断面図である。
【図６】図３、４および５の吊り下げ用ブラケットの分解斜視図である。
【図７】第２の実施形態における図１の吊り下げ用ブラケットのプレートのみの正面図を示す。
【図８】第２の実施形態における図１の吊り下げ用ブラケットのプレートのみの背面図を示す。
【図９】取り付け要素が追加された図７および図８の吊り下げ用ブラケットの断面図である。
【図１０】図７、８および９の吊り下げ用ブラケットの分解斜視図である。
【図１１】第３の実施形態における図１の吊り下げ用ブラケットのプレートのみの正面図を示す。
【図１２】第３の実施形態における図１の吊り下げ用ブラケットのプレートのみの背面図を示す。
【図１３】取り付け要素がリベット留めされるように追加された図１１および図１２の吊り下げ用ブラケットの断面図である。
【図１４】図１１、１２および１３の吊り下げ用ブラケットの分解斜視図である。
【発明を実施するための形態】
【００１６】
特に図１および図２を参照すると、これらは、本発明による調整のための容易なアクセスを有する外れ防止構造を備えた隠蔽された吊り下げ用ブラケット群の一実施形態を示している。
【００１７】
前記吊り下げ用ブラケット群は調節可能なタイプであり、壁戸棚Ｍ上の隠蔽された位置の後部で組み立てられるのに適している。
【００１８】
吊り下げ用ブラケット群は、一方の側（および／または他方の側）で外側に向かって延びる複数の固定ピン１２、１２’、１２’’を備えた吊り下げ用ブラケット１０のプレート要素１１と、支持要素５０のような壁に固定された支持要素を有する実際の吊り下げ用ブラケットを拘束するためにプレート要素１１に前面で結合するフック要素１４とを有している。複数の固定ピン１２、１２’、１２’’は、壁戸棚Ｍの肩部Ｓに形成された孔に結合することができるが、例えば、吊下げブラケット１０が拘束される壁に固定された支持要素５０を共通バー７０とすることができる。既知の吊り下げ用ブラケットと同様に、本発明の目的である吊り下げ用ブラケット１０においても、フック要素１４は、相対的なプレート要素１１に対して深さおよび高さを調整することができ、合いくぎ５１によって壁に固定された上述のバー７０と結合するための上部フック状部分１５（フック）が設けられている。
【００１９】
この深さ方向および高さ方向の調整を進めるために、水平方向および垂直方向の移動手段１６、１７、例えば角度戻り要素を備え得る２つの公知のねじ−ナット−ねじ機構、および外れ防止手段１８などが設けられている。本発明による前記移動手段および外れ防止手段は、組み立て段階および吊り下げ用ブラケット１０が取り付けられた時の双方で、使用者が家具Ｍの後部の裏張りＦに形成された一対の孔２１、２１’から容易に接近可能である。
【００２０】
プレート要素１１は、その上部に、プレート要素１１自体を壁戸棚Ｍ（裏張りＦおよび天板Ｃ）にねじ結合するための少なくとも一対の孔２０、２０’を備えていることにも留意されたい。
【００２１】
プレート１１の傾斜側壁１９には、固定ピン１２、１２’、１２’’が挿入される壁戸棚Ｍの肩部Ｓとねじ結合するための少なくとも１つの貫通孔２２が設けられている。
【００２２】
本発明によると、プレート１１は単一の成型シートから製造され、水平方向および垂直方向の移動および調整の手段１６、１７、ならびに外れ防止手段１８のための固定構造を提供する。
【００２３】
プレート１１は、実際には、半打ち抜き工程によって製造された窓２３を有し、その一端部から付属物２４が延びており、該付属物２４は箱折りされている。前記付属物２４は、プレート１１に平行な一つの側部に、凹状ヘッド２７を備えた調整ねじ２６またはグラブねじを受容するのに適したねじ孔２５を有している。凹状ヘッド２７は、フック要素１４の箱状体に設けられた溝２８に挿入される。
【００２４】
フック要素１４は、フック状部分１５とは反対側の端部に、プレート１１に対し一体的にかつ連結式につなげるプレートレット３０のピン端部３１を受容するのに適したスロット２９を有することを指摘すべきである。
【００２５】
プレート１１はまた、窓２３の下に半打ち抜きによって得られた２つの追加の付属物３２および３３を有する。２つの追加の付属物３２および３３は、プレート１１の表面に対して直角に折り曲げられている。第１の追加の付属物３２は、丸められて外側に向かって開放している凹部３４を有する。他方、第２の追加の付属物３３は、貫通孔３５を有する。
【００２６】
ねじ３６は、一方の端部に歯付きクラウン３７と細い円柱状部分３８とが設けられており、２つの追加の付属物３２と３３の間に配置される。歯付きクラウン３７の下のねじ３６は、外側に突出するフランジまたはカラー３９を有し、該カラー３９は第１の追加の付属物３２の丸められた外側に向かって開放している凹部３４に係合する。さらに、ねじ３６の細い円柱状部分３８は第２の付属物３３の貫通孔３５に係合する。したがって、ねじ３６は、歯付きクラウン３７によって駆動されると自由に回転する。
【００２７】
ねじ３６の中間部分は、プレートレット３０のねじ付き貫通孔４０内にねじ込まれ、該プレートレット３０はフック要素１４を一体的にかつ連結式につなげて担持していることに留意されたい。
【００２８】
最後に、調整ねじ２６は、凹状ヘッド２７とは反対側の端部に、スクリュードライバ４２の先端部用の成形座部４１を備えていることもまた指摘されるべきである。
【００２９】
また、プレート１１の窓２３はスロット４９内に延び、該スロット４９から外れ防止手段１８を作動させることができることにも留意されたい。さらに、窓２３の下のプレート１１は、家具Ｍの裏張りＦに形成された孔２１と位置整合する一対の貫通孔４３および４４を有する。
【００３０】
孔２１に挿入され、その直後にプレート１１の孔４３に挿入されたスクリュードライバ４２の先端部を使用してネジ２６を回転させると、矢印Ｋに従って吊り下げ用ブラケットの深さが調整される。
【００３１】
スクリュードライバ４２の先端部は、孔２１に挿入された直後にプレートの孔４４に挿入されると、ねじ３６の歯付きクラウン３７に係合する。前記ねじ３６の回転は、フック要素１４を一体的にかつ連結式につなげて支持するプレート３０を強制的に上方に移動させ、矢印Ｈに従って壁戸棚の高さを調整する。
【００３２】
最後に、スクリュードライバ４２の先端部が、孔２１’に挿入され、その直後にプレート１１の窓２３のスロット４９に至ると、バー５０のアンダーカット５３にグラブねじ５２を係合させて外れ防止群を形成する。
【００３３】
本発明では、移動手段１６、１７および水平方向および垂直方向の吊り下げ用ブラケットの調整は、基本的にプレート１１の付属物２４の内側に含まれることに留意されたい。プレート１１の窓２３の半打ち抜き工程によって得られたこの付属物２４は、（図に見られるように）プレートの前部に直角に折り曲げられており、前記調整または移動手段１６、１７の少なくとも一部の格納ケーシングを形成する。前記ケーシングは、材料を追加することなく製造され、単に付属物２４をプレート１１上で閉じられるように「Ｃ」の形（コの字形）に折り曲げることによって製造される。
【００３４】
本発明による群は、要素２４がプレート要素１１に設けられていることを特徴とし、該要素２４は深さ調整のためのグラブねじ２６用のねじ孔２５と、スクリュードライバ用のガイド４７と、同じく前記要素２４に設けられている同スクリュードライバ４２の先端部のための止め具４８を有している。
【００３５】
外れ防止用グラブねじ５２は、本発明の吊り下げ用ブラケット群のさらなる特徴である単純な構成を提供し、吊り下げ用ブラケット群を完璧かつ機能的にする。
【００３６】
図７から図１０は、図１のフック要素と同様のフック要素を備えた第２の実施形態における吊り下げ用ブラケットのプレートの正面図、断面図、分解斜視図である。この実施形態では、同じ要素は同じ参照番号で示されている。
【００３７】
図７から図１０において、それ自体の上で折り曲げられて図１から図６の付属物２４を形成するシートの代替として、この例はプレート１１のシートが、深さを調整するためのグラブねじ２６用のねじ孔５８を有するザマ（ｚａｍａ）からなる要素５７を保持する深絞りシート５５をいかに有しているかを示していることのみが指摘されるべきである。組み立て方向は矢印５４にしたがっており、この場合、スクリュードライバのためのガイド４７（両側に４７’にも）は、同スクリュードライバの先端部のための止め具４８と共に提供される。また、ザマ（ｚａｍａ）からなる要素５７には、プレート１１の孔６０に挿入されるようになっており、かつ、後方からプレート１１のシートにいったん挿入されるとリベット留めされるピン５９が設けられていることにも留意されたい。
【００３８】
この場合も、深さを調整するためのグラブねじ２６用のねじ孔５８を有する要素５７がプレート要素１１内に設けられていることを特徴としており、スクリュードライバのためのガイド４７も、同スクリュードライバ４２の先端部のための止め具４８と共に、要素５７内に設けられている。
【００３９】
最後に、図１１から図１４は第３の実施形態を示し、同じ要素に対して同じ参照番号を有する。この例では、プレート１１のシートは、深さを調整するためのグラブねじ２６用のねじ孔５８’と、スクリュードライバ４２用のガイド６７（両側に６７’にも）と、スクリュードライバ４２の先端部用の止め具６８を有するザマ（ｚａｍａ）の要素５７’を受けるようになっている。前記要素５７’はリベット留めされ、プレート１１のシートに前方から挿入されるフラップ６９を備えている。
【００４０】
一実施形態では、本発明の吊り下げ用ブラケット群は、本体（半打ち抜きの付属物２４）またはプレート１１のシートがそれ自体の上に折り曲げられ、グラブねじ２６または深さ調整用ねじを受けるねじ孔２５のための座部を形成することを特徴とすることに留意されたい。この操作により、中央端部のＵボルト折り曲げ部４７もまた画定され、これもやはり半打ち抜きにされており、ドライバー４２の先端部のためのガイドとして作用する。同時に、突合せまたは止め具４８も形成され、前のＵボルトの折り曲げ部４７の場合のように、加工および追加の部品なしで半打ち抜き加工によってもたらされる。
【００４１】
高さ調整をもたらすスクリュードライバの先端部とねじ３６の歯付きクラウン３７との間の運動伝達を可能にするために、ガイド溝４７および止め具４８の存在のおかげで、スクリュードライバ４２の先端部を非常に正確な位置（図１）に配置することが不可欠である。
【００４２】
スクリュードライバ４２の先端部は、プレート１１に形成された孔４４、Ｕボルト４７、および先端部４２の止め具または突合せ４８によるガイドに保持されている。
【００４３】
高さ調整のためのスクリュードライバ４２の先端部のアクセスは、さらに、吊り下げ用ブラケット１０の反対側からも提供することができ、したがって開口部４４’を通して家具Ｍの裏張りＦの後ろ側からも提供することができる。
【００４４】
図面を参照して上述したことから、本発明による隠蔽された吊り下げ用ブラケットが特に有用かつ有利であることは明らかである。したがって、説明の前文で述べた目的は達成された。
【００４５】
本発明による壁戸棚の壁組立用の隠蔽された調整可能な吊り下げ用ブラケットは、実際に、上部パネルと下部パネルが同一平面に整合しているか、上部パネルと側面パネルが同一平面に整合しているかにかかわらず、あらゆるタイプの壁戸棚への簡単で安定した組み立てが保証される。
【００４６】
本発明による壁戸棚の壁組立用の隠蔽された調整可能な吊り下げ用ブラケットの形態および材料は、図面において単に非限定的な例示目的のために示されたものと当然異なることがあり得る。
【００４７】
したがって、本発明の保護範囲は添付の特許請求の範囲によって定義される。
【図１】
2019531810.tif 000003
【図２】
2019531810.tif 000004
【図３】
2019531810.tif 000005
【図４】
2019531810.tif 000006
【図５】
2019531810.tif 000007
【図６】
2019531810.tif 000008
【図７】
2019531810.tif 000009
【図８】
2019531810.tif 000010
【図９】
2019531810.tif 000011
【図１０】
2019531810.tif 000012
【図１１】
2019531810.tif 000013
【図１２】
2019531810.tif 000014
【図１３】
2019531810.tif 000015
【図１４】
2019531810.tif 000016
【国際調査報告】
2019531810.tif 000017
2019531810.tif 000018